(57)【特許請求の範囲】
【請求項１】
ガス供給源からガスが導かれ、または吸引力が導かれ、差込プラグが着脱自在に装着されるガス供給ソケットであって、
ガス供給源からガスが導かれ、または吸引力が導かれる流入口を備えるソケット台座部と、
前記流入口に導かれたガスが排出され、または吸引力が導かれる排出口を備え、前記ソケット台座部に着脱可能に連結されて固定されるソケット本体部であって、
前記排出口にその軸線方向に同軸に連接されて前記差込プラグを気密に差込み可能とされる筒状のソケット部と、
前記ソケット台座部に連結される側の端部に突設され、前記ソケット台座部への連結方向に沿って延びる複数のピンとを有するソケット本体部とを含み、
前記ソケット台座部は、
前記流入口が形成される基台であって、前記ソケット本体部が連結される円筒状の筒部を有し、該筒部に、周方向に所定の間隔をあけて複数の係止溝が形成された凹凸部分を有する基台と、
前記筒部に該筒部の軸線まわりに回転自在に装着される円環状のピン受け部材であって、前記ソケット本体部に設けられる各ピンをそれぞれ挿通可能な透孔が形成される受け部と、前記係止溝に係合可能な係止片とを有するピン受け部材とを含み、
前記筒部は、前記凹凸部分に隣接して設けられ、前記ピン受け部材が回転自在に装着される円筒状のピン受け部材保持部分と、前記ピン受け部材保持部分に隣接して設けられ、該ピン受け部材保持部分の外径よりも大きな外径を有する円筒状の抜止め部分とを有し、
前記ピン受け部材には、前記ピン受け部材保持部分への装着状態において、前記抜止め部分に係合可能な係止部が、内方に突出して設けられていることを特徴とするガス供給ソケット。
【請求項２】
ガス供給源からガスが導かれ、または吸引力が導かれ、差込プラグが着脱自在に装着されるガス供給ソケットであって、
ガス供給源からガスが導かれ、または吸引力が導かれる流入口を備えるソケット台座部と、
前記流入口に導かれたガスが排出され、または吸引力が導かれる排出口を備え、前記ソケット台座部に着脱可能に連結されて固定されるソケット本体部であって、
前記排出口にその軸線方向に同軸に連接されて前記差込プラグを気密に差込み可能とされる筒状のソケット部と、
前記ソケット台座部に連結される側の端部に突設され、前記ソケット台座部への連結方向に沿って延びる複数のピンとを有するソケット本体部とを含み、
前記ソケット台座部は、
前記流入口が形成される基台であって、前記ソケット本体部が連結される円筒状の筒部を有し、該筒部に、周方向に所定の間隔をあけて複数の係止溝が形成された凹凸部分を有する基台と、
前記筒部に該筒部の軸線まわりに回転自在に装着される円環状のピン受け部材であって、前記ソケット本体部に設けられる各ピンをそれぞれ挿通可能な透孔が形成される受け部と、前記係止溝に係合可能な係止片とを有するピン受け部材とを含み、
前記係止片は、前記受け部に一体的に連なり、該受け部に対して屈曲して設けられていることを特徴とするガス供給ソケット。
【請求項３】
前記ソケット本体部に、
前記排出口の軸線に沿って弾発的に付勢された状態で設置され、この状態で前記排出口を閉塞し、前記弾発的に付勢する力に抗する力が作用したときには、前記弾発的に付勢される方向とは逆方向に移動して前記排出口を開放するように作動する弁体が組み込まれていることを特徴とする請求項１または２に記載のガス供給ソケット。
【請求項４】
前記抜止め部分は、前記ピン受け部材保持部分から離反するに従って、外径が小さくなるように形成されていることを特徴とする請求項３記載のガス供給ソケット。
【請求項５】
前記抜止め部分には、前記ピン受け部材を前記抜止め部分を挿通して前記ピン受け部材保持部分に装着する際に、前記係止片が通過可能な凹溝が形成されていることを特徴とする請求項１〜４のいずれか１つに記載のガス供給ソケット。
【発明の詳細な説明】
【技術分野】
【０００１】
本発明は、治療室および一般病室などの壁部や、手術室の天井に懸垂式に設置されるシーリングアームのコンソールボックスなどに設けられ、治療等に用いられるたとえば酸素、笑気および空気などの医療用ガスを供給し、または汚物等を吸引する医療用アウトレット装置におけるガス供給ソケットに関する。
【背景技術】
【０００２】
従来から、治療室および一般病室などの壁部や、手術室の天井に懸垂式に設置されるシーリングアームのコンソールボックスなどには、酸素ガス、笑気および空気などの医療用ガス毎および吸引力が導かれるアウトレットとも称される複数のガス供給ソケットが設置され、各ガス供給ソケットに対応する差込プラグが必要に応じて差込み装着される（たとえば、特許文献１参照）。
【０００３】
図８は、従来技術に係るガス供給ソケット１００を壁部Ｗに設置した状態を示す断面図である。ガス供給ソケット１００に対して、差込プラグ２００を、所定の位置まで差込むことによって、ガス供給ソケット１００内に弾発的に付勢された状態で収容された弁体１１１を、この弾発力に抗して後退させてガスの排出口１１２を開放させ、ガス供給ソケット１００内に導入されている医療用ガスを、排出口１１２から、医療用機器に直接あるいはチューブなどの可撓性の管体を介して接続される差込プラグ２００内のガス管路２１０に流入させ、治療に用いることができるように構成されている。使用後は、差込プラグ２００をガス供給ソケット１００から抜取ることによって、弁体１１１が弾発付勢力によって排出口１１２を封止する位置に復帰し、抜出された差込プラグ２００は所定の保管位置に保管される。
【０００４】
図９は、従来技術に係るガス供給ソケット１００の組立前の構成を概略的に示す断面図である。図９に示すように、ガス供給ソケット１００は、医療用ガスの供給源１５０から所定のガスが導かれ、または吸引源（図示せず）から吸引力が導かれる流入口１２１を備えるソケット台座部１２０と、排出口１１２および弁体１１１を備えるとともに、差込プラグ２００が装着されるソケット部１１３を有し、ソケット台座部１２０に着脱可能に連結されて固定されるソケット本体部１１０とからなり、これらを連結することによって構成されている。
【０００５】
従来から、ガス供給ソケット１００に装着される差込プラグ２００の周辺には、差込プラグ２００の軸線Ｊ１まわりの周方向に、当該差込プラグ２００に導かれるべき医療用ガスの種類または吸引力に応じて所定の間隔をあけて、複数本（たとえば２本）のピン２２０が、差込プラグ２００に平行に延びるように設けられている。そして、差込プラグ２００が装着されるソケット本体部１１０のソケット部１１３においても、差込プラグ２００に設けられている各ピン２２０の配置に対応する位置に、各ピン２２０をそれぞれ挿通可能なピン孔１１４が形成されている。
【０００６】
これにより、ガス供給ソケット１００に差込プラグ２００を装着した状態では、各ピン２２０が対応するピン孔１１４に挿通されることとなる。前記のように、医療用ガスの種類または吸引力に応じて、ピン２２０およびピン孔１１４の間隔は予め定められているので、このような連結構造によって、たとえば酸素ガスが導かれているガス供給ソケット１００に対して、笑気、空気または吸引力が導かれるべき医療用機器に接続された差込プラグ２００が誤って装着されることが防止されている。
【０００７】
また、ソケット本体部１１０におけるソケット台座部１２０に連結される側の端部１１５においても、前記同様、排出口１１２の軸線Ｊ２まわりの周方向に、当該ソケット本体部１１０が如何なる用途（酸素ガス供給用、笑気供給用、空気供給用、吸引用など）で用いられるかに応じて所定の間隔をあけて、複数本（たとえば２本）のピン１１６が、前記軸線Ｊ２に平行に延びるように設けられている。そして、ソケット台座部１２０においても、ソケット本体部１１０に設けられる各ピン１１６の配置に対応する位置に、各ピン１１６をそれぞれ挿通可能なピン孔１２２が形成されている。
【０００８】
これにより、ソケット台座部１２０にソケット本体部１１０を連結した状態では、各ピン２２０が対応するピン孔１１４に挿通されることとなる。前記のように、医療用ガスの種類または吸引力に応じて、ピン１１６およびピン孔１２２の間隔は予め定められているので、このような連結構造によって、特定のガスの供給源１５０または吸引源に接続された状態で壁部Ｗやコンソールボックスに取り付けられているソケット台座部１２０に対して、用途の異なるソケット本体部１１０が誤って連結されることが防止されている。
【先行技術文献】
【特許文献】
【０００９】
【特許文献１】特開平４−３４１２７３号公報
【発明の概要】
【発明が解決しようとする課題】
【００１０】
従来から、ソケット台座部１２０には、流入口１２１を備え、ガスの供給源１５０あるいは吸引源に接続される管継手１２３が、ソケット本体部１１０が連結される側（図９における右側）から見たときに、外方に向かって延びるように設けられている。そして、治療室および一般病室などの壁部Ｗやシーリングアームのコンソールボックスなどにおいて、ソケット台座部１２０は、図９に示すように、管継手１２３が鉛直上方に向かって延びるような姿勢で取り付けられている。
【００１１】
ソケット本体部１１０は、ソケット台座部１２０に対し、複数本のピン１１６を各ピン孔１２２に挿通することにより周方向に位置決めされた状態で連結されるため、ソケット台座部１２０へ連結したときの姿勢を基本姿勢として、この基本姿勢のソケット本体部１１０に対して、差込プラグ２００に直接接続される酸素湿潤器などの医療用機器が適正な姿勢で装着されるように、差込プラグ２００側に設けられる各ピン２２０が挿通されるピン孔１１４の形成位置が決定されている。
【００１２】
ところが、最近では、コンソールボックスの小形化や、管継手１２３近傍の配管のレイアウトを柔軟に設計することを可能にするために、ソケット台座部１２０を、管継手１２３が鉛直上方以外の方向に向かって延びるような姿勢で取り付けたいという要望がある。
【００１３】
しかしながら、従来技術に係るガス供給ソケット１００は、管継手１２３が鉛直上方に向かって延びるような姿勢で取り付けられることを前提として、ピン１１６やピン孔１２２，１１４が形成されているので、ソケット台座部１２０を、管継手１２３が鉛直上方以外の方向に向かって延びるような姿勢で取り付けた場合には、それに伴って、酸素湿潤器などの医療用機器を適正な姿勢で取り付けることができなくなってしまうという問題がある。
【００１４】
本発明の目的は、管継手の延在方向によらずに、医療用機器を適正な姿勢で取り付けることができるガス供給ソケットを提供することである。
【課題を解決するための手段】
【００１５】
本発明は、ガス供給源からガスが導かれ、または吸引力が導かれ、差込プラグが着脱自在に装着されるガス供給ソケットであって、
ガス供給源からガスが導かれ、または吸引力が導かれる流入口を備えるソケット台座部と、
前記流入口に導かれたガスが排出され、または吸引力が導かれる排出口を備え、前記ソケット台座部に着脱可能に連結されて固定されるソケット本体部であって、
前記排出口にその軸線方向に同軸に連接されて前記差込プラグを気密に差込み可能とされる筒状のソケット部と、
前記ソケット台座部に連結される側の端部に突設され、前記ソケット台座部への連結方向に沿って延びる複数のピンとを有するソケット本体部とを含み、
前記ソケット台座部は、
前記流入口が形成される基台であって、前記ソケット本体部が連結される円筒状の筒部を有し、該筒部に、周方向に所定の間隔をあけて複数の係止溝が形成された凹凸部分を有する基台と、
前記筒部に該筒部の軸線まわりに回転自在に装着される円環状のピン受け部材であって、前記ソケット本体部に設けられる各ピンをそれぞれ挿通可能な透孔が形成される受け部と、前記係止溝に係合可能な係止片とを有するピン受け部材とを含み、
前記筒部は、前記凹凸部分に隣接して設けられ、前記ピン受け部材が回転自在に装着される円筒状のピン受け部材保持部分と、前記ピン受け部材保持部分に隣接して設けられ、該ピン受け部材保持部分の外径よりも大きな外径を有する円筒状の抜止め部分とを有し、
前記ピン受け部材には、前記ピン受け部材保持部分への装着状態において、前記抜止め部分に係合可能な係止部が、内方に突出して設けられていることを特徴とするガス供給ソケットである。
また本発明は、ガス供給源からガスが導かれ、または吸引力が導かれ、差込プラグが着脱自在に装着されるガス供給ソケットであって、
ガス供給源からガスが導かれ、または吸引力が導かれる流入口を備えるソケット台座部と、
前記流入口に導かれたガスが排出され、または吸引力が導かれる排出口を備え、前記ソケット台座部に着脱可能に連結されて固定されるソケット本体部であって、
前記排出口にその軸線方向に同軸に連接されて前記差込プラグを気密に差込み可能とされる筒状のソケット部と、
前記ソケット台座部に連結される側の端部に突設され、前記ソケット台座部への連結方向に沿って延びる複数のピンとを有するソケット本体部とを含み、
前記ソケット台座部は、
前記流入口が形成される基台であって、前記ソケット本体部が連結される円筒状の筒部を有し、該筒部に、周方向に所定の間隔をあけて複数の係止溝が形成された凹凸部分を有する基台と、
前記筒部に該筒部の軸線まわりに回転自在に装着される円環状のピン受け部材であって、前記ソケット本体部に設けられる各ピンをそれぞれ挿通可能な透孔が形成される受け部と、前記係止溝に係合可能な係止片とを有するピン受け部材とを含み、
前記係止片は、前記受け部に一体的に連なり、該受け部に対して屈曲して設けられていることを特徴とするガス供給ソケットである。
【００１６】
また本発明は、前記ソケット本体部に、
前記排出口の軸線に沿って弾発的に付勢された状態で設置され、この状態で前記排出口を閉塞し、前記弾発的に付勢する力に抗する力が作用したときには、前記弾発的に付勢される方向とは逆方向に移動して前記排出口を開放するように作動する弁体が組み込まれていることを特徴とする。
【００１８】
また本発明は、前記抜止め部分は、前記ピン受け部材保持部分から離反するに従って、外径が小さくなるように形成されていることを特徴とする。
【００２０】
また本発明は、前記抜止め部分には、前記ピン受け部材を前記抜止め部分を挿通して前記ピン受け部材保持部分に装着する際に、前記係止片が通過可能な凹溝が形成されていることを特徴とする。
【発明の効果】
【００２１】
本発明によれば、ピン受け部材は、基台への装着状態において、受け部に形成されている透孔の位置を、必要に応じて周方向に変化させることができる。したがって、ソケット台座部が、管継手が鉛直上方以外の方向に延在するように設置された場合であっても、それに応じて、ピン受け部材を周方向に回転させて透孔の位置を変化させることにより、医療用機器が適正な姿勢で取り付けられるように、ソケット本体部をソケット台座部に連結することができる。
【図面の簡単な説明】
【００２２】
【図１】本発明の一実施形態に係るガス供給ソケット２を含む医療用ガス配管接続装置１の縦断面図である。
【図２】ガス供給ソケット２を構成するソケット本体部５の側面図である。
【図３】図２におけるソケット本体部５を矢符ＩＩＩ方向から見た正面図である。
【図４】図２におけるソケット本体部５を矢符ＩＶ方向から見た背面図である。
【図５】ガス供給ソケット２を構成するソケット台座部６の斜視図である。
【図６】図１におけるソケット台座部６を紙面に垂直な方向から見た側面図である。
【図７】ソケット台座部６を構成するピン受け部材３３の構成を示す図であり、図７（ａ）はピン受け部材３３の平面図であり、図７（ｂ）は図７（ａ）の切断面線Ｂ−Ｂから見た断面図である。
【図８】従来技術に係るガス供給ソケット１００を壁部Ｗに設置した状態を示す断面図である。
【図９】従来技術に係るガス供給ソケット１００の組立前の構成を概略的に示す断面図である。
【発明を実施するための形態】
【００２３】
図１は、本発明の一実施形態に係るガス供給ソケット２を含む医療用ガス配管接続装置１の縦断面図である。図示の医療用ガス配管接続装置１は、治療室および一般病室などの壁部に設置された筐体あるいは手術室の天井に懸垂式に設置されるシーリングアームのコンソールボックスなどに収容されて設けられ、本発明の特徴であるピン受け部材３３を備えるガス供給ソケット２と、ガス供給ソケット２に着脱自在に装着される差込プラグ３とによって構成される。
【００２４】
ガス供給ソケット２には、供給源４から医療用ガスが導かれ、あるいは、吸引源（図示せず）から吸引力が導かれる。本実施形態に係るガス供給ソケット２は、医療用ガスの一つである酸素ガスの供給源４が接続されるように構成されているものとして説明する。
【００２５】
図２は、ガス供給ソケット２を構成するソケット本体部５の側面図であり、図３は、図２におけるソケット本体部５を矢符ＩＩＩ方向から見た正面図であり、図４は、図２におけるソケット本体部５を矢符ＩＶ方向から見た背面図である。図５は、ガス供給ソケット２を構成するソケット台座部６の斜視図であり、図６は、図１におけるソケット台座部６を紙面に垂直な方向から見た側面図である。
【００２６】
ガス供給ソケット２は、供給源４から酸素ガスが導かれる流入口３１を備えるソケット台座部６と、流入口３１に導かれた酸素ガスが排出される排出口１１を備え、ソケット台座部６に着脱可能に連結されて固定されるソケット本体部５とからなり、これらを連結することによって構成される。
【００２７】
ソケット本体部５は、図１に示すように、差込プラグ３が差込まれる方向Ａ１（以下、「差込方向Ａ１」と称する）とは反対の方向Ａ２（以下、「引抜方向Ａ２」と称する）に弾発的に付勢された状態で設置され、この状態で排出口１１を閉塞し、弾発的に付勢する力に抗する力が作用したときには、差込方向Ａ１に移動して排出口１１を開放するように作動する弁体１２と、排出口１１に連通し、排出口１１の軸線Ｊ１１と同軸のプラグ差込孔が形成され、差込プラグ３を気密に差込み可能に構成される筒状のソケット部１３と、ソケット台座部６に連結される側の端部１４に突設され、排出口１１の軸線Ｊ１１に沿って延びる複数本（本実施形態では２本）のピン１５ａ，１５ｂと、排出口１１の軸線Ｊ１１と同軸であり、ソケット台座部６に螺着される円筒状の連結部１６とを含んで構成される。ここで、差込方向Ａ１および引抜方向Ａ２は、排出口１１の軸線Ｊ１１に平行な方向である。
【００２８】
ソケット台座部６は、流入口３１が形成される基台３２と、後述するピン受け部材３３とからなる。基台３２は、台座本体４１と、台座本体４１内に収容される球状の弁体４２と、弁体４２によって開閉される弁孔４３を有するホルダ４４と、弁孔４３を外囲するようにホルダ４４に装着される環状のシール部材４５と、弁体４２をシール部材４５に向かってばね付勢するばね４６とを有する。
【００２９】
弁体４２は、金属または合成樹脂からなる。シール部材４５は、可撓性および弾発性を有する材料、たとえばゴム、合成ゴムまたは合成樹脂からなる断面円形の部材であり、Ｏリングによって実現される。このようなシール部材４５は、弁体４２が着座する弁座を構成する。ばね４６は、圧縮コイルばねによって実現され、弁体４２をシール部材４５に着座した状態に保つ。これらの弁体４２、ホルダ４４、シール部材４５およびばね４６によって、流路開閉手段が構成される。
【００３０】
台座本体４１は、弁体４２およびばね４６が収容され、ホルダ４４がシール部材４５とともに装着される弁室４７を規定する基部４８と、弁室４７に連通する嵌合空間４９を規定する円筒状の筒部５０とを有する。基部４８にはまた、管継手３４が溶接またはパッキングされて気密に接続される接続孔５１と、接続孔５１と弁室４７とを連通する通路５２とが形成される。
【００３１】
管継手３４は、円筒状に形成され、その軸線Ｊ３４の延在方向の一端部が、台座本体４１の基部４８に接続される。詳細には、図６に示すように、軸線Ｊ３４が、台座本体４１における筒部５０の軸線Ｊ５０に対して垂直に交差するように接続される。管継手３４の軸線Ｊ３４の延在方向の他端部には、供給源４から酸素ガスが導かれる流入口３１が設けられる。この管継手３４には、チューブなどの管体を介して供給源４が接続され、これにより、弁室４７に供給源４から酸素ガスが導入される。弁室４７に導入された酸素ガスは、弁体４２がシール部材４５から離反する方向に移動し、弁孔４３が開放することによって、嵌合空間４９に導入される。
【００３２】
この嵌合空間４９を規定する筒部５０の内周部には、内ねじが刻設された内ねじ部６０が形成される。一方、ソケット本体部５における円筒状の連結部１６の外周部には、前記内ねじに螺合可能な外ねじが刻設された外ねじ部６１が形成される。
【００３３】
したがって、この連結部１６の外ねじ部６１を、筒部５０の内ねじ部６０に螺合させることによって、連結部１６が基台３２の台座本体４１に着脱可能に取付けられる。連結部１６には、外ねじ部６１に隣接して環状のシール部材６４が外装され、台座本体４１と連結部１６とは、それらの間に介在される該シール部材６４によって、気密に接続される。シール部材６４は、たとえばＯリングからなる。
【００３４】
この連結部１６には、その内周面によって規定される取付孔２０に、たとえば金属粉末を焼結した多孔質材料からなるフィルタ１７が取り付けられる。このフィルタ１７は、直円筒状の筒部１７ａと、筒部１７ａの軸線方向一端部を塞ぐ底部１７ｂと、底部１７ｂから筒部１７ａの軸線方向外方に突出して形成される円柱状の突起１７ｃと、筒部１７ａの軸線方向他端部から半径方向外方に突出するフランジ部１７ｄとを有し、これらの筒部１７ａ、底部１７ｂ、突起１７ｃおよびフランジ部１７ｄが、一体的に形成されてなる。
【００３５】
フィルタ１７には、そのフランジ部１７ｄにおける、筒部１７ａが連設される側とは反対側の端面に、排出口１１を形成する弁座リング１９が螺着され、ゴム製のパッキン２１とともに、連結部１６の取付孔２０に収容される。より詳細には、フィルタ１７は、突起１７ｃを連結部１６から外方へ突出させた状態で収容される。
【００３６】
連結部１６の内周部には、内ねじが刻設された内ねじ部６０が形成されており、この内ねじに螺合可能な外ねじが刻設された外ねじ部６１が外周部に形成されたナット２２を、その連結部１６に螺着することによって、取付孔２０に収容されているフィルタ１７のフランジ部１７ｄおよび弁座リング１９が、ナット２２とソケット部１３とによって挟持される。このようにして、フィルタ１７は、連結部１６に着脱可能に取付けられ、取付状態ではナット２２によって抜止めされる。
【００３７】
このようにして取り付けられたフィルタ１７の突起１７ｃは、連結部１６が台座本体４１の筒部５０に対して螺進されることによって、ばね４６の付勢力に抗して弁体４２を押圧し、弁体４２をシール部材４５から離反する方向へ移動させる。これにより、弁孔４３が開放され、弁室４７まで導かれていた酸素ガスが嵌合空間４９に導入される。すなわち、ソケット本体部５をソケット台座部６に連結した状態では、嵌合空間４９まで酸素ガスが導かれることとなる。
【００３８】
フィルタ１７の底部１７ｂには、圧縮ばね２３の基端部が当接して支持され、圧縮ばね２３の先端部には、弁体１２が装着される。弁体１２は、フィルタ１７に保持された圧縮ばね２３によって、軸線Ｊ１１に沿って弁座リング１９に形成される排出口１１に向かって弾発的にばね付勢されている。弁体１２の先端部側には、Ｏリング２４が装着され、弁体１２が弾発的に付勢された状態で、このＯリング２４が排出口１１の内周縁部に形成された弁座部２５に弾発的に当接し、これによって排出口１１が閉塞状態とされる。
【００３９】
この排出口１１と、ソケット部１３の筒部６５との間には、挿入筒部６６よりも内径が小さく、差込プラグ３の円筒状の先端部３ａが軸線Ｊ１１と平行に挿入自在でかつパッキン２１を差込方向Ａ１の下流側から装着されて保持する絞り部６７が形成され、この絞り部６７の内周部に差込まれた差込プラグ３との間の気密性を保つため、絞り部６７と弁座リング１９との間にパッキン２１が装着されている。ソケット部１３は、排出口１１とは反対側の開口部が差込口６８とされ、この差込口６８を介して着脱自在に差込プラグ３が差込み可能とされている。
【００４０】
差込口６８を介して装着された差込プラグ３は、その先端部３ａが弁体１２の環状部分６９をパッキン２１とともに押圧する位置まで差込まれると、先端部３ａによって弁体１２が圧縮ばね２３の弾発力に抗して押圧され、これによって、弁体１２が後退し、排出口１１が開放される。このようにして、弁体１２が差込プラグ３によって開弁されることによって、嵌合空間４９内の酸素ガスが、排出口１１および流入口３ｂを経て差込プラグ３内の通路３ｂに供給される。
【００４１】
カバーリング７０は、図３に示すように、表面に酸素ガス用であることを明示するための識別符７１が印刷されている。カバーリング７０の中央部には、円形孔７０ａが形成され、この円形孔７０ａからソケット部１３の端部が露出している。
【００４２】
差込プラグ３をガス供給ソケット２に差込む際は、差込方向Ａ１に沿って、先端部３ａからソケット部１３の差込口６８に差込む。差込プラグ３が突設されているグリップ部７には、差込プラグ３の軸線まわりの周方向に、差込プラグ３に導かれるべき医療用ガスの種類または吸引力に応じて所定の間隔をあけて、複数本（本実施形態では２本）のピン７２ａ，７２ｂが、差込プラグ３に平行に延びるように設けられている。そして、差込プラグ３が装着されるソケット本体部５のソケット部１３においても、差込プラグ３に設けられている各ピン７２ａ，７２ｂの配置に対応する位置に、各ピン７２ａ，７２ｂをそれぞれ挿通可能なピン孔７３ａ，７３ｂが形成されている。
【００４３】
これにより、酸素ガスが導かれているガス供給ソケット２に対して、笑気、空気または吸引力が導かれるべき医療用機器に接続された差込プラグ３が誤って装着されることが防止されている。同様に、笑気、空気および吸引力がそれぞれ導かれている各ガス供給ソケットに関しても、用途によるピンおよびピン孔の配置の違いによって、異なる用途の差込プラグが誤って装着されることが防止されている。
本実施形態では、ピンおよびピン孔の配置によって、互いに異なる用途のガス供給ソケット２と差込みプラグ３とが誤って接続されることを防止しているが、他の実施形態では、ガス供給ソケットの差込部の形状（四角形、六角形および円周上の溝など）および差込みプラグの形状を、用途ごとに異ならせることによって実現することもできる。
【００４４】
また、ソケット本体部５におけるソケット台座部６に連結される側の端部１４においても、図４に示すように、排出口１１の軸線Ｊ１１まわりの周方向に、当該ソケット本体部５が如何なる用途（酸素ガス供給用、笑気供給用、空気供給用、吸引用など）で用いられるかに応じて所定の間隔をあけて、２本のピン１５ａ，１５ｂが、軸線Ｊ１１に平行に延びるように設けられている。本実施形態では、酸素ガス供給用として、α＝β＝２０°となる位置に、２本のピン１５ａ，１５ｂがそれぞれ設けられている。
【００４５】
図７は、ソケット台座部６を構成するピン受け部材３３の構成を示す図である。図７（ａ）は、ピン受け部材３３の平面図であり、図６における右側から見た状態に対応している。また、図７（ｂ）は、図７（ａ）の切断面線Ｂ−Ｂから見た断面図である。以下、図１および図５〜図７を参照して、ソケット台座部６において、ソケット本体部５に設けられる２本のピン１５ａ，１５ｂが連結される部分の構成について説明する。
【００４６】
ソケット台座部６の基台３２における筒部５０は、周方向に所定の間隔をあけて複数の係止溝８１が外周部に形成される凹凸部分８２と、凹凸部分８２に隣接して設けられ、外径Ｄ１の直円筒状の外周面を有し、後述するピン受け部材３３が回転自在に装着されるピン受け部材保持部分８３と、ピン受け部材保持部分８３に隣接して設けられ、ピン受け部材保持部分８３の外径Ｄ１よりも大きな外径Ｄ２を有する抜止め部分８４とを有する。抜止め部分８４、ピン受け部材保持部分８３および凹凸部分８２は、この順番で、筒部５０の先端側から基部４８に向かって設けられている。
【００４７】
凹凸部分８２は、詳細には、その係止溝８１における底部８１ａが、ピン受け部材保持部分８３の外周面と面一に形成されている。また、隣接する係止溝８１間に設けられる凸部８１ｂは、底部８１ａからの高さが、後述する受け部９２の第２部分９２ｂが係合可能な高さに設定されている。凹凸部分８２は、本実施形態では、周方向に３０°間隔で係止溝８１が形成されて構成されている。
【００４８】
抜止め部分８４は、ピン受け部材保持部分８３に連なる部分が外径Ｄ２となるように形成されている。これにより、ピン受け部材保持部分８３には、段差部８４ａが形成されている。また、抜止め部分８４は、ピン受け部材保持部分８３から離反するに従って、外径が小さくなるように形成されている。
【００４９】
ピン受け部材３３は、大略的に円環状に形成され、ソケット本体部５に設けられる２本のピン１５ａ，１５ｂをそれぞれ挿通可能な透孔９１ａ，９１ｂが形成される板状の受け部９２と、凹凸部分８２の係止溝８１に係合可能な係止片９３とを有する。
【００５０】
透孔９１ａ，９１ｂは、ソケット本体部５に設けられている各１５ａ，１５ｂの配置に対応した位置に形成され、本実施形態では、図７（ａ）に示すように、α＝β＝２０°となる位置に形成されている。
【００５１】
受け部９２は、ピン受け部材保持部分８３が挿通可能な貫通孔を有する円環状の板状部であり、抜止め部分８４の外径Ｄ２よりも大きな外径ｄ１を有する仮想直円柱の外周面に対応する内周面を有する第１部分９２ａと、前記仮想直円柱の外周面よりも内方に突出した係止部９４を有する第２部分９２ｂと、係止片９３が設けられる第３部分９２ｃとを有する。本実施形態では、周方向に間をあけて３つの第２部分９２ｂが形成されるとともに、周方向に１８０°離間して第３部分９２ｃが形成されている。
【００５２】
係止片９３は、受け部９２の第３部分９２ｃに一体的に連なり、受け部９２に対して略垂直となるように屈曲して設けられている。また、係止片９３は、前記仮想直円柱の外周面よりも内方に突出するように、第３部分９２ｃに設けられている。図７に示すように、第１部分９２ａと第２部分９２ｂとの間、および第１部分９２ａと第３部分９２ｃとの間には、半径方向内方から外方に向かって延びる切欠き９５がそれぞれ形成されている。
【００５３】
ソケット台座部６は、このようなピン受け部材３３を基台３２のピン受け部材保持部分８３に装着し、ピン受け部材３３の係止片９３を、凹凸部分８２の係止溝８１に係合することによって構成される。
【００５４】
これにより、ピン受け部材３３は、受け部９２に形成されている透孔９１ａ，９１ｂの位置を、必要に応じて周方向に変化させることができる。したがって、ソケット台座部６が、管継手３４が鉛直上方以外の方向に延在するように設置された場合であっても、それに応じて、ピン受け部材３３を周方向に回転させて透孔９１ａ，９１ｂの位置を変化させることにより、医療用機器が適正な姿勢で取り付けられるように、ソケット本体部５をソケット台座部６に連結することができる。
【００５５】
また本実施形態によれば、ピン受け部材保持部分８３に装着されたピン受け部材３３は、その係止部９４が、抜止め部分８４の段差部８４ａに係止されるように構成されているので、ピン受け部材３３が基台３２から容易に離脱してしまうことを防止することができる。したがって、ピン受け部材保持部分８３においてピン受け部材３３を回転させる際に、ピン受け部材３３が基台３２から離脱して落下してしまうことを防止することができる。
【００５６】
また本実施形態によれば、抜止め部分８４が、ピン受け部材保持部分８３から離反するに従って、外径が小さくなるように形成されている。前記のように、係止部９４は段差部８４ａに係合可能に形成されているため、ピン受け部材３３を抜止め部分８４を挿通してピン受け部材保持部分８３に装着する際には、係止部９４が設けられる第２部分９２ｂが弾性変形を伴って装着されることになる。したがって、前記構成を採用することにより、抜止め部分８４を挿通させるときに、第２部分９２ｂの変形量を徐々に増大させながら装着されることになるので、容易に装着することができる。
【００５７】
また本実施形態によれば、第１部分９２ａと第２部分９２ｂとの間には切欠き９５が形成されているので、前記のように抜止め部分８４を挿通させるときに、僅かな力で第２部分９２ｂを弾性変形させることができる。
【００５８】
また本実施形態によれば、基台３２に、ピン１５ａ，１５ｂを挿通可能なピン孔を設ける必要がなくなるので、使用されるべき用途（酸素ガス供給用、笑気供給用、空気供給用、吸引用など）によらず、同一の基台３２を用いることができる。換言すれば、使用されるべき用途に応じてピン孔の配置を異ならせた複数種類の基台を製造する必要をなくすことができ、在庫管理上の利点を有する。
【００５９】
本実施形態では、前記のように、係止片９３が、前記仮想直円柱の外周面よりも内方に突出するように、第３部分９２ｃに設けられている。そこで、図５に示すように、抜止め部分８４を挿通させるときに、係止片９３を通過させることができる凹溝８４ｂが、抜止め部分８４に予め形成されている。したがって、係止片９３を凹溝８４ｂの位置に合わせた状態で、抜止め部分８４を挿通させることで、係止片９３を弾性変形させるための余分な力が不要となり、容易に装着することができる。
【符号の説明】
【００６０】
１  医療用ガス配管接続装置
２  ガス供給ソケット
３  差込プラグ
４  供給源
５  ソケット本体部
６  ソケット台座部
１１  排出口
１２  弁体
１３  ソケット部
１５ａ，１５ｂ  ピン
３１  流入口
３２  基台
３３  ピン受け部材
５０  筒部
８１  係止溝
８２  凹凸部分
８３  ピン受け部材保持部分
８４  抜止め部分
８４ｂ  凹溝
９１ａ，９１ｂ  透孔
９２  受け部
９３  係止片
９４  係止部
【図１】
0005858732.tif 000002
【図２】
0005858732.tif 000003
【図３】
0005858732.tif 000004
【図４】
0005858732.tif 000005
【図５】
0005858732.tif 000006
【図６】
0005858732.tif 000007
【図７】
0005858732.tif 000008
【図８】
0005858732.tif 000009
【図９】
0005858732.tif 000010